(57)【要約】【課題】絶縁材料の外面に形成された導電パターンと、上記外面以外の箇所に形成された導電パターンとを有し、両導電パターンを容易に接続した電子部品を提供する。【解決手段】第１樹脂材料（２）の外面に形成された、第１の導電パターン（５）と、絶縁部材の外面に、第１樹脂材料（２）と第２樹脂材料（３）とに跨って、第１の導電パターン（５）に接続するように形成された、第２の導電パターン（６）とを有する。【選択図】図１
2014063857.tif 000002
【特許請求の範囲】
【請求項１】
絶縁部材と、
導体部材からなる導電パターンとを有する電子部品であって、
上記絶縁部材は、互いに隣り合って配された第１樹脂材料と第２樹脂材料とを有しており、
上記第１樹脂材料の外面に形成された、上記導電パターンの一部である第１の導電パターンと、
上記絶縁部材の外面に、上記第１樹脂材料と上記第２樹脂材料とに跨って、上記第１の導電パターンに接続するように形成された、上記導電パターンの一部である第２の導電パターンとを有することを特徴とする電子部品。
【請求項２】
上記第２の導電パターンは、上記絶縁部材の外面の少なくとも一部を活性化し、当該外面の活性化された部分のうちの少なくとも一部をメッキすることで形成された導電パターンであることを特徴とする請求項１に記載の電子部品。
【請求項３】
上記第１の導電パターンの一方の端部が上記第２の導電パターンに接続されており、
上記第１の導電パターンの他方の端部が上記絶縁部材の内部にあることで、上記絶縁部材の外部と上記絶縁部材の内部とが導通していることを特徴とする請求項１または２に記載の電子部品。
【請求項４】
上記第１の導電パターンは、樹脂材料の外面に選択的に導電パターンを形成可能な手法により、上記第１樹脂材料の外面に形成されていることを特徴とする請求項１〜３の何れか１項に記載の電子部品。
【請求項５】
絶縁部材と、
導体部材からなる導電パターンと、を有する電子部品の製造方法であって、
上記絶縁部材は、互いに隣り合って配された第１樹脂材料と第２樹脂材料とを有しており、
上記第１樹脂材料の外面には、上記導電パターンの一部である第１の導電パターンが形成されており、
上記絶縁部材の外面に、上記第１樹脂材料と上記第２樹脂材料とに跨って、上記第１の導電パターンに接続するように、上記導電パターンの一部である第２の導電パターンを形成する工程を含むことを特徴とする電子部品の製造方法。
【発明の詳細な説明】
【技術分野】
【０００１】
本発明は電子部品及び電子部品の製造方法に関する。
【背景技術】
【０００２】
無線によって電気信号を発信または受信する機能を有する通信機器は、アンテナを有している。アンテナは、例えば、樹脂材料の外面に所定のパターンで導電パターンを印刷することで形成される。
【０００３】
アンテナおよび通信機器として、例えば、特許文献１には、通信機能の充実および意匠性の向上を可能とするとともに、内面に収納された通信機能部との連結を容易にする接点を有する、外面に形成された印刷アンテナの製造方法および上記印刷アンテナを有する通信機器が記載されている。
【０００４】
図１１は、特許文献１の印刷アンテナの製造方法の各工程における被印刷体の様子を拡大して模式的に示す断面図である。図１１に基づいて、特許文献１の印刷アンテナの製造方法について説明する。
【０００５】
まず、図１１（ａ）に示すように、プラスチック等で形成された被印刷体２０１に、貫通孔２１２を形成する。次に、図１１（ｂ）に示すように、貫通孔２１２に、Ｃｕ等の金属からなる接点部材（ビス）２０２を配置する。次に、図１１（ｃ）に示すように、被印刷体２０１の一方の面２１１に、接点部材２０２の一方の端面２２１の一部に重なるように導電性インクまたは金属粉末含有インクによってアンテナパターン２０３を印刷する。次に、図１１（ｄ）に示すように、アンテナパターン２０３の外面にメッキ２０４を施す。
【０００６】
このようにして、被印刷体の一方の面に形成されたアンテナと、他方の面に配置された通信機器部との接続が容易な、印刷アンテナの製造方法および上記印刷アンテナを有する通信機器を製造することができる。
【先行技術文献】
【特許文献】
【０００７】
【特許文献１】特開２０１０−１６６３７９号公報（２０１０年７月２９日公開）
【発明の概要】
【発明が解決しようとする課題】
【０００８】
しかしながら、上記特許文献１の印刷アンテナは、アンテナパターン２０３が、プラスチック等で形成された被印刷体２０１の一方の面２１１に、金属で形成された接点部材２０２の一方の端面２２１の一部に重なるように形成されている。
【０００９】
すなわち、アンテナパターン２０３は、プラスチック材料からなる部材と金属材料からなる部材とに跨って形成されている。
【００１０】
通常、樹脂材料と金属材料等の、異なる材料からなる部材に跨ってアンテナパターンとしての導電パターンを形成することは容易ではない。また、異なる材料からなる部材に跨って導電パターンを形成した場合、使用環境により各部材が異なる膨張率で膨張又は収縮することで、導電パターンが剥離するおそれがある。そのため、特許文献１の被印刷体の一方の面に形成されたアンテナと、他方の面に配置された通信機器部との接続は安定しているとはいえない。
【００１１】
さらに、特許文献１の印刷アンテナの製造方法は、アンテナパターン２０３を印刷により形成しており、パターン形状の自由度に乏しい。
【００１２】
本発明は、上記の課題に鑑みなされたものであって、その目的は、絶縁材料の外面に選択的に形成された導電パターンと、上記外面以外の箇所に設けられた部品とを容易に、かつ安定して接続させた電子部品、上記電子部品を備える通信機器、及び電子部品の製造方法を提供することにある。
【課題を解決するための手段】
【００１３】
本発明の一態様に係る電子部品は、絶縁部材と、導体部材からなる導電パターンとを有する電子部品であって、上記絶縁部材は、互いに隣り合って配された第１樹脂材料と第２樹脂材料とを有しており、上記第１樹脂材料の外面に形成された、上記導電パターンの一部である第１の導電パターンと、上記絶縁部材の外面に、上記第１樹脂材料と上記第２樹脂材料とに跨って、上記第１の導電パターンに接続するように形成された、上記導電パターンの一部である第２の導電パターンとを有することを特徴とする。
【００１４】
上記の構成によれば、絶縁材料の外面に形成された導電パターンと、上記外面以外の箇所に設けられた部品とを容易に、かつ安定して接続させた電子部品を提供することができる。
【００１５】
上記第２の導電パターンは、上記絶縁部材の外面の少なくとも一部を活性化し、当該外面の活性化された部分のうちの少なくとも一部をメッキすることで形成された導電パターンであってもよい。
【００１６】
上記の構成により、第１樹脂材料と第２樹脂材料に跨って両者の表面が活性化されているため、両者の境界を平坦化でき、断線のリスクを低減することができる。
【００１７】
上記第１の導電パターンの一方の端部が上記第２の導電パターンに接続されており、上記第１の導電パターンの他方の端部が上記絶縁部材の内部にあることで、上記絶縁部材の外部と上記絶縁部材の内部とが導通していてもよい。
【００１８】
上記の構成により、絶縁部材の内部の部材と、外部とを接続することができる。
【００１９】
上記第１の導電パターンは、樹脂材料の外面に選択的に導電パターンを形成可能な手法により、上記第１樹脂材料の外面に形成されていてもよい。
【００２０】
従来は、金属片を被印刷体に貫通させる構成とすることで、被印刷体の一方の面と他方の面とを導通させていた。これに対し本発明の電子部品は、上記金属片に代えて、第１の導電パターンを形成した構成である。そのため、自由にパターン形状を変えることができる導電パターンにより、絶縁部材の上下（表裏）を導通する経路を確保することができる。
【００２１】
本発明の一態様に係る電子部品の製造方法は、絶縁部材と、導体部材からなる導電パターンと、を有する電子部品の製造方法であって、上記絶縁部材は、互いに隣り合って配された第１樹脂材料と第２樹脂材料とを有しており、上記第１樹脂材料の外面には、上記導電パターンの一部である第１の導電パターンが形成されており、上記絶縁部材の外面に、上記第１樹脂材料と上記第２樹脂材料とに跨って、上記第１の導電パターンに接続するように、上記導電パターンの一部である第２の導電パターンを形成する工程を含むことを特徴とする。
【００２２】
上記の構成によれば、絶縁材料の外面に形成された導電パターンと、上記外面以外の箇所に設けられた部品とを容易に、かつ安定して接続させた電子部品の製造方法を提供することができる。
【００２３】
上記絶縁部材は、上記第２の導電パターンが形成された第１の外面と、上記第１の外面に対向する面である第２の外面とを有しており、上記第１の導電パターンが、上記第１の外面と上記第２の外面とに及んで形成されていることで、上記第１の外面と上記第２の外面とが導通していてもよい。
【００２４】
例えば、無線端末において、絶縁部材で回路基板を囲い、絶縁部材の外側にアンテナパターンや、配線パターンを設ける場合がある。この場合、上記パターンと、絶縁部材の上下（表裏）を導通する経路と、を接続することが必要となる場合がある。ここで、従来技術では、導通経路を金属で形成していたため、上記パターンの形成方法としてＬＤＳを用いた場合、上記パターンと導通経路とを接続することは困難である。一方、上記の構成によれば、樹脂上に導通経路（第１の導電パターン）が形成されているため、ＬＤＳによって、導通経路と接続するように上記第２の導電パターンを形成することができる。
【００２５】
上記第１の導電パターンは、上記絶縁部材を貫通して形成されていてもよい。
【００２６】
導通経路としての第１の導電パターンが絶縁体を貫通することにより、任意の位置で絶縁体の表裏を導通することができるので、経路の自由度が向上する。
【発明の効果】
【００２７】
本発明の一態様によれば、絶縁材料の外面に形成された導電パターンと、上記外面以外の箇所に設けられた部品とを容易に、かつ安定して接続させた電子部品、上記電子部品を備える通信機器、及び電子部品の製造方法を提供することができる。
【図面の簡単な説明】
【００２８】
【図１】本発明の一実施形態に係る電子部品の断面図である。
【図２】本発明の一実施形態に係る他の電子部品の断面図である。
【図３】本発明の一実施形態に係る他の電子部品の製造方法を説明するための断面図である。
【図４】本発明の変形例に係る電子部品の製造方法を説明するための断面図である。
【図５】本発明の変形例に係る電子部品の製造方法を説明するための断面図である。
【図６】本発明の他の実施形態に係る電子部品の製造方法を説明するための断面図である。
【図７】本発明の変形例に係る電子部品の断面図である。
【図８】本発明の変形例に係る電子部品の製造方法を説明するための断面図である。
【図９】本発明の変形例に係る電子部品の断面図である。
【図１０】本発明の第２の導電パターンの形状の他の例を示す図である。
【図１１】従来の印刷アンテナの製造方法を説明する各工程における被印刷体の様子を拡大して模式的に示す断面図。
【発明を実施するための形態】
【００２９】
〔実施形態１〕
以下、本発明の実施形態１の電子部品について、図１に基づいて詳細に説明する。図１は、本発明の一実施形態に係る電子部品１０の断面図である。
【００３０】
図１に示すように、本実施形態の電子部品１０は、第１樹脂材料２と第２樹脂材料３とが隣り合うように並べられた構造を有している。
【００３１】
また、第１樹脂材料２の上面２１（外面）と、第２樹脂材料３の上面３１（外面）とにより、樹脂材料の上面１１（導体形成面、第１の外面）を形成するように、配置されている。
【００３２】
第１樹脂材料２の外面には、第１の導電パターン５が形成されている。
【００３３】
また、第１樹脂材料２の上面２１と第２樹脂材料３の上面３１との境界部分に跨って、第１の導電パターン５と接続された第２の導電パターン６が設けられている。すなわち、第１樹脂材料２と第２樹脂材料３とを１つの樹脂材料（絶縁部材）とした場合、上記絶縁部材の外面に第２の導電パターン６が形成されているということができる。
【００３４】
第１の導電パターン５および第２の導電パターン６は、樹脂材料の外面に選択的に導電パターンを形成可能な手法により形成することができる。例えば、第１の導電パターン５および第２の導電パターン６は、レーザー照射方式（以下、ＬＤＳ）を用いて、各樹脂材料の外面に形成することができる。これにより、各樹脂材料の外面に選択的にパターン形成をすることができる。
【００３５】
第１の導電パターン５および第２の導電パターン６は、アンテナとして用いることができるように、任意の形状に設計される。
【００３６】
また、第１の導電パターン５および第２の導電パターン６は、配線、地線、ＧＮＤとしても利用することができる。
【００３７】
そのため、本発明の電子部品１は、通信機器や電気製品の部品として用いることができる。
【００３８】
第１樹脂材料２と第２樹脂材料３とはともに樹脂材料であるため、例えば特許文献１の印刷アンテナのように樹脂材料と金属材料とに跨って導電パターンを形成する場合に比べて、容易に第２の導電パターン６を形成することができる。さらに、第２の導電パターン６を形成した後も、第１樹脂材料２と第２樹脂材料３との熱膨張率の差によって第２の導電パターン６が剥離するリスクが低い。
【００３９】
そのため、本実施形態の電子部品１０において、第１の導電パターン５と第２の導電パターン６とが安定して接続されている。
【００４０】
＜電子部品＞
以下に本実施形態の電子部品のより好ましい構造について、図２〜５に基づいて説明する。
【００４１】
本発明の一実施形態に係る電子部品１は、第２樹脂材料３と第１樹脂材料２と第３樹脂材料４とがこの順に並べられた構造を有している。
【００４２】
また、第１樹脂材料２の上面２１（外面）と、第２樹脂材料３の上面３１（外面）と、第３樹脂材料４の上面４１とにより、樹脂材料の上面１１（導体形成面、第１の外面）を形成するように、配置されている。
【００４３】
第１樹脂材料２の上面２１と第２樹脂材料３の上面３１との境界部分に跨って、第２の導電パターン６が設けられている。すなわち、第１樹脂材料２と第２樹脂材料３とを１つの樹脂材料（絶縁部材）とした場合、上記絶縁部材の外面に第２の導電パターン６が形成されているということができる。
【００４４】
また、第１樹脂材料２と第３樹脂材料４との間には、第１樹脂材料２の外面に形成された第１の導電パターン５が設けられている。さらに、第１樹脂材料２と第２樹脂材料３とを１つの樹脂材料（絶縁部材）とした場合、第１の導電パターン５は、樹脂材料を貫通している。
【００４５】
第１の導電パターン５の一部は、第１樹脂材料２の上面２１に及んでおり、第１樹脂材料２の上面２１において、第２の導電パターン６と電気的に接続されている。また、第１の導電パターン５の一部は、第１樹脂材料２の下面に及んでいる。これにより、第１の導電パターン５によって、樹脂材料（絶縁部材）の上面（第１の外面）と下面（第２の外面）とを導通させることができる。
【００４６】
また、導通経路としての第１の導電パターンが樹脂材料を貫通する構成とすることにより、任意の位置で絶縁体の表裏を導通することができるので、経路の自由度が向上する。
【００４７】
第１の導電パターン５および第２の導電パターン６は、樹脂材料の外面に選択的に導電パターンを形成可能な手法により形成することができる。例えば、第１の導電パターン５および第２の導電パターン６は、レーザー照射方式（以下、ＬＤＳ）を用いて、各樹脂材料の外面に形成することができる。これにより、各樹脂材料の外面に選択的にパターン形成をすることができる。
【００４８】
＜ＬＤＳ＞
本発明において、第２の導電パターン６を、ＬＤＳ（Ｌａｓｅｒ  Ｄｉｒｅｃｔ  Ｓｔｒｕｃｔｕｒｉｎｇ）により形成することが好ましい。
【００４９】
ＬＤＳを用いた導電パターンの形成では、樹脂材料の外面を選択的にレーザー照射することによって樹脂外面を活性化し、活性化した箇所に電界メッキ等のメッキ処理を施すことにより、銅メッキすることが可能となる。これにより樹脂材料の外面に選択的に、導電パターンとしての銅メッキを形成することができる。
【００５０】
また、銅メッキした表面にさらに金メッキあるいはニッケルメッキを施してもかまわない。これにより、耐腐食性に富んだ導電パターンを形成可能となる。もちろん、銅メッキの表面にニッケルメッキを施し、そのニッケルメッキの表面に金メッキを施してもよい。メッキ処理として複数の金属をメッキする場合において、最後に金メッキ処理をすることにより、導電パターンの表面に金メッキがくるようにすることで導電パターン表面の接触抵抗を低くすることが可能となる。
【００５１】
ここでいう樹脂表面の活性化とは、例えば樹脂材料にＬＤＳ添加剤をあらかじめ混ぜることによって樹脂表面にレーザーを照射したときに樹脂表面に金属シードを形成することを指す。この金属シードが銅メッキ処理により金属シードと銅が結び付くようになり、樹脂表面でもメッキ処理が可能となる。上記の金属シードの形成方法について、ＬＤＳ添加剤を用いて樹脂表面にレーザーを照射したときに樹脂表面に金属シードを形成する例を挙げたが、ＬＤＳ添加剤を樹脂材料に混ぜることに限定されず、他の手法を用いてもかまわない。
【００５２】
ＬＤＳを用いることで、一方の樹脂材料と他方の樹脂材料とに跨ってメッキを形成する場合に、一方の樹脂材料のメッキ形成面と他方の樹脂材料のメッキ形成面との間に段差が存在していたとしても、レーザー照射により両者の境界を平坦化することができるため、一方の樹脂材料と他方の樹脂材料に跨ってメッキを形成することができる。
【００５３】
金属材料にレーザーを照射しても、金属材料の外面は活性化しない。そのため、ＬＤＳを用いても、金属材料の外面に、導電パターンとしてのメッキを形成することができない。
【００５４】
図１１（ｄ）に示すように、従来は、導電性インクが接点部材の一部に重なるように、被印刷体の外面に導電性インクを印刷していた。導電パターンの形成として、導電性インクの印刷に代えてＬＤＳを用いてメッキしようとした場合、接点部材と接続された導電パターンを被印刷体の外面に形成するためには、被印刷体と金属材料である接点部材とに跨ってメッキを形成しなければならない。
【００５５】
しかしながら、金属材料の外面にＬＤＳを用いてメッキを形成することはできないため、被印刷体と接点部材とに跨ってメッキを形成することができない。
【００５６】
本発明の電子部品１は、メッキを形成する面は金属材料の外面ではなく、樹脂材料の外面である。そのため、ＬＤＳを用いてメッキを形成することができる。
【００５７】
また、本発明の電子部品１は、図１１（ｄ）の接点部材に相当する金属材料を備えていないが、第１樹脂材料の外面に第１の導電パターンが形成されている。そのため、第１樹脂材料は、導体としての接点部材の役割を果たすことができる。
【００５８】
また、第２の導電パターン６を、ＬＤＳにより形成することで、第１樹脂材料と第２樹脂材料に跨ってレーザー照射することとなり、両者の境界を平坦化でき、第１の導電パターンと第２の導電パターンとが断線するリスクを低減することができる。
【００５９】
＜電子部品の製造方法＞
図３に基づいて、本実施形態の電子部品１の製造方法について説明する。図３は、電子部品１の製造方法を説明するための、各工程における樹脂材料の断面図である。
【００６０】
まず、図３（ａ）に示すように、第１樹脂材料２の側面２２、上面の一部、下面の一部にレーザー照射処理を施す。図３（ａ）では、説明のために、第１樹脂材料２の外面のうち、レーザー照射された部分の模様を変えて図示している。
【００６１】
次に、図３（ｂ）に示すように、第１樹脂材料２の外面（外面）をメッキ処理する。これにより、第１樹脂材料２の外面のうち、レーザー照射された部分に第１の導電パターン５としてのメッキが形成される。
【００６２】
次に、図３（ｃ）に示すように、第１の導電パターン５が形成された第１樹脂材料２を、第２樹脂材料３と第３樹脂材料４との間に配置する。このとき、第１樹脂材料２の上面２１と第２樹脂材料３の上面３１と第３樹脂材料４の上面４１とが、略同一平面を形成するようにする。
【００６３】
次に、図３（ｃ）に示すように、第１樹脂材料２の上面２１と第２樹脂材料３の上面３１との境界部分を含んで、第１樹脂材料２の上面２１と第２樹脂材料３の上面３１とに跨って（オーバーラップさせて）レーザー照射処理を施す。
【００６４】
次に、図３（ｄ）に示すように、第１樹脂材料２の外面と第２樹脂材料３の外面（外面）とをメッキ処理する。これにより、第１樹脂材料２の上面２１と第２樹脂材料３の上面３１のうち、レーザー照射された部分のみに第２の導電パターン６としてのメッキが形成される。
【００６５】
レーザーは、第１樹脂材料２の上面２１と第２樹脂材料３の上面３１との境界部分を含んで、第１樹脂材料２の上面２１と第２樹脂材料３の上面３１とに跨って照射されているので、第１樹脂材料２の上面３１と第２樹脂材料３の上面３１とに跨って第２の導電パターン６としてのメッキが形成される。
【００６６】
なお、第１樹脂材料２および第２樹脂材料３は、ＬＤＳ添加剤が含まれていることが好ましい。これにより、ＬＤＳを適用して容易に外面にメッキを形成することができる。
【００６７】
また、図示はしないが、導電パターンが形成された各樹脂部材を、コーティングする工程をさらに設けてもよい。さらに、導電パターンが形成された各樹脂部材を塗装する工程を設けてもよい。
【００６８】
上記の製造方法の説明では、第１の導電パターン５および第２の導電パターン６を、ＬＤＳを用いて形成する方法について説明したが、第１の導電パターン５および第２の導電パターン６はＬＤＳを用いて形成されなくてもよく、第１の導電パターン５および第２の導電パターンの形成方法は限定されない。
【００６９】
＜変形例＞
以下、本発明の電子部品の他の具体例について説明する。図４は、本実施形態の変形例に係る電子部品５１の製造方法を説明するための断面図であり、図５は、本実施形態の変形例に係る電子部品６１の製造方法を説明するための断面図である。
【００７０】
図４（ａ）に示すように、第１樹脂材料２の外面に第１の導電パターン５を形成した後、図４（ｂ）に示すように、第１樹脂材料２と第２樹脂材料３とを隣り合わせ、ＬＤＳを用いて第１樹脂材料２の上面２１と第２樹脂材料３の上面３１とに跨って第２の導電パターン６を形成してもよい。
【００７１】
図４（ｃ）は、図４（ｂ）の平面図である。平面視において、第２の導電パターン６が四角形となる場合を図示しているが、これに限ることはなく、第２の導電パターン６は任意の形状とすることができる。
【００７２】
また、図５（ａ）に示すように、第１樹脂材料２の外面に第１の導電パターン５を形成した後、図５（ｂ）に示すように、第１樹脂材料２と第２樹脂材料３とを、第１の導電パターン５形成面を介して隣り合わせ、ＬＤＳを用いて第１樹脂材料２の上面２１と第２樹脂材料３の上面３１とに跨って第２の導電パターン６を形成してもよい。図５（ｃ）は、図５（ｂ）の平面図である。
【００７３】
〔実施形態２〕
本発明の他の実施形態について、図６〜図１０に基づいて説明すれば、以下のとおりである。なお、説明の便宜上、前記実施形態にて説明した図面と同じ機能を有する部材については、同じ符号を付記し、その説明を省略する。
【００７４】
図６（ｂ）に示すように、本実施形態の電子部品１０１は、実施形態１の電子部品１と異なり、電子部品１０１の下面に第１の導電パターン１０５が露出していない。すなわち、第１の導電パターン１０５の一方の端部が第２の導電パターン１０６に接続されており、他方の端部が樹脂材料（絶縁部材）の内部にある。
【００７５】
電子部品１０１は、第１の導電パターン１０５と接続された他の部材などを内蔵することで、上記部材を保護し、絶縁部材の内部の部材と、外部とを接続することができる。
【００７６】
ここで、電子部品１０１は、上記部材として、他の電子部品、電子回路、素子などを内蔵する場合が考えられる。
【００７７】
また、電子部品１０１の第１樹脂材料１０２の形状は、実施形態１の電子部品１の第１樹脂材料２の形状とは異なっている。このように、本発明において、第１樹脂材料の形状は任意の形状とすることができる。
【００７８】
以下、電子部品１０１の製造方法について説明する。
【００７９】
図６（ａ）に示すように、第１樹脂材料１０２の外面に、第１の導電パターン１０５を形成する。第１の導電パターン１０５の形成方法としては、ＬＤＳを用いた方法を用いてもよいし、他の方法を用いてもよい。
【００８０】
次に、図６（ｂ）に示すように、外面に第１の導電パターン１０５が形成された第１樹脂材料１０２を、第２樹脂材料１０３に埋め込み、ＬＤＳを用いて第１樹脂材料１０２の上面と第２樹脂材料１０３の上面とに跨って第２の導電パターン１０６を形成する。第２の導電パターン１０６の形成方法としては、ＬＤＳを用いた方法を用いてもよいし、他の方法を用いてもよい。
【００８１】
図７に示すように、第２樹脂材料１０３の上面にカバー１２０を設けてもよい。カバー
１２０の形状に合わせて、第１樹脂材料１０２の形状と第２樹脂材料１０３の形状とを適宜変化させてもよい。
【００８２】
また、図８（ｂ）に示すように、第１の導電パターン１０５および第２の導電パターン１０６に加えて、第３の導電パターン１０８を設けてもよい。
【００８３】
図８（ａ）に示すように、第１樹脂材料１０２の外面に第１の導電パターン１０５を形成し、第３樹脂材料１０７の外面に第３の導電パターン１０８を形成する。
【００８４】
次に、第１樹脂材料１０２を第２樹脂材料１０３に埋め込み、第３樹脂材料１０７を第２樹脂材料１０３と第４樹脂材料１０４との間に配置する。
【００８５】
次に、ＬＤＳを用いて、第１樹脂材料１０２の上面、第２樹脂材料１０３の上面、第３樹脂材料１０７の上面に跨って第２の導電パターン１０６を形成する。
【００８６】
図９に示すように、第３樹脂材料１０７などの上面にカバー１２０を設けてもよい。
【００８７】
＜第２の導電パターンの他の例＞
本発明の電子部品において、第１の導電パターンの形状は適宜変更することができる。
【００８８】
図１０は、第１の導電パターンの形状の具体例を示す図である。図１０（ａ）に示す第１の導電パターン５は、すでに図１〜６に基づいて説明したものと同じ形状のものである。
【００８９】
図１０（ｂ）に示す第１の導電パターン５ｂは、第１樹脂材料２の側面にメアンダ状に設けられている。
【００９０】
図１０（ｃ）に示す第１の導電パターン５ｃは、第１樹脂材料２の側面にらせん状に設けられている。
【００９１】
その他にも、第１の導電パターンを、第１樹脂材料にぐるぐる巻きにした形状、第１樹脂材料の周囲を迂回する形状、第１樹脂材料の外面の全面に導電パターンを配した形状、などとすることができる。
【００９２】
このように、本発明の電子部品において、第１の導電パターンの形状を適宜変更し、任意の形状とすることができる。
【００９３】
これにより、第１の導電パターンの電気長を調整することができる。また、第１の導電パターンをらせん形状とすることで、第１の導電パターンをアンテナとして利用することができる。
【００９４】
また、本発明の電子部品によれば、第１樹脂材料の形状を適宜変更することで、任意の形状の第１の導電パターンを形成することができる。また、ＬＤＳを用いることで任意の形状の第２の導電パターンを形成することができる。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９６】
本発明は、無線通信を行う通信機器及び電子部品に利用することができる。
【符号の説明】
【００９７】
１，１０，５１，６１，１０１      電子部品
１１                              樹脂材料の上面（絶縁部材の上面）
２，１０２                        第１樹脂材料
３，１０３                        第２樹脂材料
５，５ｂ，５ｃ，１０５            第１の導電パターン
６，１０６                        第２の導電パターン
【図１】
2014063857.tif 000003
【図２】
2014063857.tif 000004
【図３】
2014063857.tif 000005
【図４】
2014063857.tif 000006
【図５】
2014063857.tif 000007
【図６】
2014063857.tif 000008
【図７】
2014063857.tif 000009
【図８】
2014063857.tif 000010
【図９】
2014063857.tif 000011
【図１０】
2014063857.tif 000012
【図１１】
2014063857.tif 000013